(57)【要約】【課題】  移動中の移動体における放送コンテンツの再生に際して、通信費の増加を抑制しつつ、再生されるコンテンツ情報の連続性を確保する。【解決手段】  出力制御装置２００が、放送波受信困難領域に近付いたと判断した場合に、録画開始指令を記録装置１００へ送信する。この結果、記録装置１００における格納制御部が、録画処理を行う。この後、出力制御装置２００において放送波に基づくコンテンツデータが生成できなくなり、出力コンテンツ情報の連続性に記録装置１００における録画データが必要となると、出力制御装置２００における選択制御部が、録画データを送信すべき旨の送信要求ＴＲＱを記録装置１００へ送信する。この送信要求ＴＲＱに応答して、記録装置１００における送信制御部が、出力コンテンツ情報の連続性に必要な録画データを、通信コンテンツデータＣＣＤとして、出力制御装置２００へ送信する。【選択図】  図９
2016195311.tif 000002
【特許請求の範囲】
【請求項１】
第１放送波を受信可能な位置に配置された記録装置と；
前記第１放送波が含むコンテンツ情報と同一のコンテンツ情報を含む第２放送波を受信するとともに、前記記録装置と通信する出力制御装置と；を備え、
前記記録装置は、
前記第１放送波が含むコンテンツ情報を記録する記録部と；
前記出力制御装置から送信された記録開始指令に応答して、前記第１放送波が含むコンテンツ情報を前記記録部に格納する格納制御部と；
前記出力制御装置から送信された送信要求に応答して、前記第１放送波に基づく第１コンテンツ情報を前記出力制御装置へ送信する送信制御部と；を備え、
前記出力制御装置は、
現在位置の情報と、移動経路の情報と、放送波受信困難領域の情報を含む地図情報とを取得する取得部と；
前記第２放送波が含むコンテンツ情報を第２コンテンツ情報として生成する生成部と；
前記記録装置との通信を制御するとともに、前記第１コンテンツ情報及び前記第２コンテンツ情報のどちらを出力コンテンツ情報として選択するかを制御する選択制御部と；を備え、
前記選択制御部は、前記移動経路における放送波受信困難領域に近付いた場合、前記記録開始指令を前記記録装置へ送信する制御を行う、
ことを特徴するコンテンツ出力システム。
【請求項２】
前記第２コンテンツ情報を生成できなくなった後、前記選択制御部は、前記出力コンテンツ情報の連続性を保持するために前記送信要求を前記記録装置へ送信する制御を行う、ことを特徴とする請求項１に記載のコンテンツ出力システム。
【請求項３】
前記送信要求には、前記第２コンテンツ情報を生成できなくなり、かつ、前記記録装置と前記出力制御装置との通信が不可能となり、再生中断となった後、前記記録装置と前記出力制御装置との通信が再び可能となった場合に発行される追従送信要求が含まれ、
前記送信制御部は、前記追従送信要求を受信した場合、前記追従送信要求において指定された前記再生中断の時刻以降に対応する前記記録部に格納されているコンテンツ情報に対して、前記出力制御装置へ送信するまでの遅延時間を減少させていく送信情報量削減処理を、前記遅延時間がなくなるまで実行しつつ、前記送信情報量削減処理を施した前記コンテンツ情報を前記第１コンテンツ情報として送信し、
前記選択制御部は、前記送信情報量削減処理を施した前記第１コンテンツ情報を受信している期間には、前記第１コンテンツ情報を前記出力コンテンツ情報として選択する制御を行う、
ことを特徴とする請求項２に記載のコンテンツ出力システム。
【請求項４】
前記送信情報量削減処理は、コマーシャル削減再生処理、早送り再生処理、倍速再生処理、エンドロール削減再生処理、最新シーン移行処理及びサムネール提示処理の少なくとも１つである、ことを特徴とする請求項３に記載のコンテンツ出力システム。
【請求項５】
前記送信要求には、前記第２コンテンツ情報を生成できなくなったが、前記記録装置と前記出力制御装置との通信が可能である場合に発行される通常送信要求が含まれ、
前記送信制御部は、前記通常送信要求を受信した場合、前記第１放送波が含むコンテンツ情報を、前記第１コンテンツ情報として送信し、
前記選択制御部は、前記第２コンテンツ情報を生成できなくなったが、前記記録装置と前記出力制御装置との通信が可能な期間には、前記第１コンテンツ情報を前記出力コンテンツ情報として選択する制御を行う、
ことを特徴とする請求項１〜４のいずれか一項に記載のコンテンツ出力システム。
【請求項６】
前記選択制御部は、前記送信要求の送信後、前記記録装置から送信された前記第１コンテンツ情報の前記第２コンテンツ情報に対する時間遅延がないことが確認された場合、送信停止要求及び記録終了指令を前記記録装置へ送信する、ことを特徴とする請求項１〜５のいずれか一項に記載のコンテンツ出力システム。
【請求項７】
第１放送波を受信可能な位置に配置され、前記第１放送波が含むコンテンツ情報と同一のコンテンツ情報を含む第２放送波を受信する出力制御装置と通信を行う記録装置であって、
前記第１放送波が含むコンテンツ情報を記録する記録部と；
前記出力制御装置から送信された記録開始指令に応答して、前記第１放送波が含むコンテンツ情報を前記記録部に格納する格納制御部と；
前記出力制御装置から送信された送信要求に応答して、前記第１放送波に基づくコンテンツ情報を前記出力制御装置へ送信する送信制御部と；
を備えることを特徴とする記録装置。
【請求項８】
第１放送波を受信可能な位置に配置され、前記第１放送波が含むコンテンツ情報を記録する記録部を備える記録装置と通信を行うとともに、前記第１放送波が含むコンテンツ情報と同一のコンテンツ情報を含む第２放送波を受信する出力制御装置であって、
現在位置の情報と、移動経路の情報と、放送波受信困難領域の情報を含む地図情報とを取得する取得部と；
前記第２放送波が含むコンテンツ情報を生成する生成部と；
前記記録装置との通信を制御するとともに、前記記録装置から送信される前記第１放送波に基づくコンテンツ情報及び前記第２放送波が含むコンテンツ情報のどちらを出力コンテンツ情報として選択するかを制御する選択制御部と；を備え、
前記選択制御部は、前記移動経路における放送波受信困難領域に近付いた場合、記録開始指令を前記記録装置へ送信する制御を行う、
ことを特徴する出力制御装置。
【請求項９】
第１放送波を受信可能な位置に配置され、記録部を有する記録装置と；前記第１放送波が含むコンテンツ情報と同一のコンテンツ情報を含む第２放送波を受信するとともに、前記記録装置と通信する出力制御装置と；を備えるコンテンツ出力システムにおいて使用されるコンテンツ出力方法であって、
前記出力制御装置が、現在位置の情報と、移動経路の情報と、放送波受信困難領域の情報を含む地図情報とを取得する取得工程と；
前記移動経路における放送波受信困難領域に近付いた場合、前記出力制御装置が、記録開始指令を前記記録装置へ送信する記録開始指令工程と；
前記記録装置が、前記記録開始指令に応答して、前記第１放送波が含むコンテンツ情報を前記記録部に格納する格納工程と；
を備えることを特徴とするコンテンツ出力方法。
【請求項１０】
コンテンツ出力システムが有するコンピュータに、請求項９に記載のコンテンツ出力方法を実行させる、ことを特徴とするコンテンツ出力プログラム。
【請求項１１】
コンテンツ出力システムが有するコンピュータにより読み取り可能に、請求項１０に記載のコンテンツ出力プログラムが記録されている、ことを特徴とする記録媒体。
【発明の詳細な説明】
【技術分野】
【０００１】
本発明は、コンテンツ出力システム、記録装置、出力制御装置、コンテンツ出力方法及びコンテンツ出力プログラム、並びに、当該コンテンツ出力プログラムが記録された記録媒体に関する。
【背景技術】
【０００２】
従来から、車両等の多くの移動体に放送受信装置が配置されている。かかる放送受信装置を利用することにより、移動体の搭乗者が、放送コンテンツを楽しむことができる。
【０００３】
ところで、移動体の移動に伴って放送波の受信品質が変化する。したがって、移動体に配置された放送受信装置による放送コンテンツの再生が途切れることがある。このため、放送コンテンツの視聴の連続性を図るための走行経路の案内を行う技術（特許文献１参照：以下、「従来例１」という）がある。
【０００４】
この従来例１の技術では、放送波の受信品質が所定値以下であった場合に、視聴可能施設を特定する。そして、当該特定した視聴可能施設に関する情報を利用者に提示するようになっている。
【０００５】
また、移動体に配置された放送受信装置に関する技術ではないが、車両の走行状況に合わせて、自宅等の目的地に配置された録画装置に放送コンテンツを録画させることを可能とする技術も提案されている（特許文献２参照：以下、「従来例２」という）。この従来例２の技術では、車両の走行中に、録画予約を受け付けた番組の放送開始時刻と、目的地への到着時刻とを比較する。そして、目的地への到着時刻が、録画予約を受け付けた番組の放送開始時刻よりも遅い場合には、録画予約を受け付けた番組の放送開始時刻以前の時刻に、携帯電話網を利用した通信により、目的地に配置された録画装置に録画予約の設定を行わせるようになっている。
【先行技術文献】
【特許文献】
【０００６】
【特許文献１】特開２０１１−２１４９９１号公報
【特許文献２】特開２００８−２４４８５４号公報
【発明の概要】
【発明が解決しようとする課題】
【０００７】
上述した従来例１の技術では、目的地への移動に際して、放送波を適切に受信できないトンネル等の受信困難地域を通過する必要がある場合には、移動体に配置された放送受信装置による放送コンテンツの再生が途切れることを回避することができない。その後、放送受信が可能となった時点で、その時点において放送されているコンテンツ内容からコンテンツ再生が再開されることになる。この結果、従来例１の技術では、コンテンツ再生の連続性に加えて、再生コンテンツの内容の連続性も確保できない事態が発生することがあった。
【０００８】
ところで、コンテンツ再生の連続性や再生コンテンツの内容の連続性を確保するために、従来例２の技術のように、放送受信可能な自宅等に配置された録画装置で所望のコンテンツを録画しておき、インターネット網のような通信網を介して、移動体に配置された再生装置で当該所望のコンテンツの情報を取得するようにすることも考えられる。こうした場合には、トンネル内などの通信困難領域を通過する必要があった場合に、コンテンツ再生の連続性を確保することができないが、通信不能となった時点のコンテンツ位置からのコンテンツ再生を、通信が再開可能となった後に行うようにすれば、再生コンテンツの内容の連続性を確保することができる。しかしながら、再生コンテンツの全てを通信により取得するようにすると、インターネット網の利用に伴う通信費が増加することになる。
【０００９】
このため、移動中の移動体における放送コンテンツの再生に際して、通信費の増加を抑制しつつ、再生されるコンテンツ情報の連続性を図ることができる技術が望まれている。かかる要請に応えることが、本発明が解決すべき課題の一つとして挙げられる。
【課題を解決するための手段】
【００１０】
請求項１に記載の発明は、第１放送波を受信可能な位置に配置された記録装置と；前記第１放送波が含むコンテンツ情報と同一のコンテンツ情報を含む第２放送波を受信するとともに、前記記録装置と通信する出力制御装置と；を備え、前記記録装置は、前記第１放送波が含むコンテンツ情報を記録する記録部と；前記出力制御装置から送信された記録開始指令に応答して、前記第１放送波が含むコンテンツ情報を前記記録部に格納する格納制御部と；前記出力制御装置から送信された送信要求に応答して、前記第１放送波に基づく第１コンテンツ情報を前記出力制御装置へ送信する送信制御部と；を備え、前記出力制御装置は、現在位置の情報と、移動経路の情報と、放送波受信困難領域の情報を含む地図情報とを取得する取得部と；前記第２放送波が含むコンテンツ情報を第２コンテンツ情報として生成する生成部と；前記記録装置との通信を制御するとともに、前記第１コンテンツ情報及び前記第２コンテンツ情報のどちらを出力コンテンツ情報として選択するかを制御する選択制御部と；を備え、前記選択制御部は、前記移動経路における放送波受信困難領域に近付いた場合、前記記録開始指令を前記記録装置へ送信する制御を行う、ことを特徴するコンテンツ出力システムである。
【００１１】
請求項７に記載の発明は、第１放送波を受信可能な位置に配置され、前記第１放送波が含むコンテンツ情報と同一のコンテンツ情報を含む第２放送波を受信する出力制御装置と通信を行う記録装置であって、前記第１放送波が含むコンテンツ情報を記録する記録部と；前記出力制御装置から送信された記録開始指令に応答して、前記第１放送波が含むコンテンツ情報を前記記録部に格納する格納制御部と；前記出力制御装置から送信された送信要求に応答して、前記第１放送波に基づくコンテンツ情報を前記出力制御装置へ送信する送信制御部と；を備えることを特徴とする記録装置である。
【００１２】
請求項８に記載の発明は、第１放送波を受信可能な位置に配置され、前記第１放送波が含むコンテンツ情報を記録する記録部を備える記録装置と通信を行うとともに、前記第１放送波が含むコンテンツ情報と同一のコンテンツ情報を含む第２放送波を受信する出力制御装置であって、現在位置の情報と、移動経路の情報と、放送波受信困難領域の情報を含む地図情報とを取得する取得部と；前記第２放送波が含むコンテンツ情報を生成する生成部と；前記記録装置との通信を制御するとともに、前記記録装置から送信される前記第１放送波に基づくコンテンツ情報及び前記第２放送波が含むコンテンツ情報のどちらを出力コンテンツ情報として選択するかを制御する選択制御部と；を備え、前記選択制御部は、前記移動経路における放送波受信困難領域に近付いた場合、記録開始指令を前記記録装置へ送信する制御を行う、ことを特徴する出力制御装置である。
【００１３】
請求項９に記載の発明は、第１放送波を受信可能な位置に配置され、記録部を有する記録装置と；前記第１放送波が含むコンテンツ情報と同一のコンテンツ情報を含む第２放送波を受信するとともに、前記記録装置と通信する出力制御装置と；を備えるコンテンツ出力システムにおいて使用されるコンテンツ出力方法であって、前記出力制御装置が、現在位置の情報と、移動経路の情報と、放送波受信困難領域の情報を含む地図情報とを取得する取得工程と；前記移動経路における放送波受信困難領域に近付いた場合、前記出力制御装置が、記録開始指令を前記記録装置へ送信する記録開始指令工程と；前記記録装置が、前記記録開始指令に応答して、前記第１放送波が含むコンテンツ情報を前記記録部に格納する格納工程と；を備えることを特徴とするコンテンツ出力方法
である。
【００１４】
請求項１０に記載の発明は、コンテンツ出力システムが有するコンピュータに、請求項９に記載のコンテンツ出力方法を実行させる、ことを特徴とするコンテンツ出力プログラムである。
【００１５】
請求項１１に記載の発明は、コンテンツ出力システムが有するコンピュータにより読み取り可能に、請求項１０に記載のコンテンツ出力プログラムが記録されている、ことを特徴とする記録媒体である。
【図面の簡単な説明】
【００１６】
【図１】本発明の一実施形態に係るコンテンツ出力システムの概略的な構成を示す図である。
【図２】図１の記録装置の構成を示すブロック図である。
【図３】図１の出力制御装置の構成を示すブロック図である。
【図４】図２の格納制御部による格納制御処理を説明するためのフローチャートである。
【図５】図２の送信制御部による送信制御処理を説明するためのフローチャートである。
【図６】図２の送信制御部による追従送信処理を説明するためのフローチャートである。
【図７】図３の選択制御部による選択制御処理を説明するためのフローチャートである。
【図８】図７のリモート再生制御処理を説明するためのフローチャートである。
【図９】記録装置と出力制御装置との間で授受される情報のシーケンスの例を示すためのシーケンス図である。
【発明を実施するための形態】
【００１７】
以下、本発明の一実施形態を、図１〜図９を参照して説明する。なお、以下の説明及び図面においては、同一又は同等の要素には同一の符号を付し、重複する説明を省略する。
【００１８】
［構成］
図１には、一実施形態に係るコンテンツ出力システム３００の概略的な構成が示されている。この図１に示されるように、コンテンツ出力システム３００は、記録装置１００と、出力制御装置２００とを備えている。ここで、記録装置１００は、利用者の自宅等の放送波を安定して受信可能な位置に配置されている。また、出力制御装置２００は、移動体である車両に配置されるようになっている。そして、記録装置１００と出力制御装置２００とは、インターネット網ＩＰＮを介して、通信可能となっている。
【００１９】
また、記録装置１００及び出力制御装置２００は、放送網ＢＣＮから送信された地上デジタルテレビジョン放送の放送波を受信する。ここで、記録装置１００が受信する放送波を送信した放送網ＢＣＮにおける基地局と、出力制御装置２００が受信する放送波を送信した放送網ＢＣＮにおける基地局とは、同一である場合もあるが、互いに異なっている場合もある。なお、記録装置１００が受信する基地局と、出力制御装置２００が受信する基地局とは同一の放送を行っているものとして、以下の説明を行う。
【００２０】
＜記録装置１００の構成＞
上記の記録装置１００は、図２に示されるように、アンテナ１１０と、放送信号処理部１２０と、通信部１３０とを備えている。また、記録装置１００は、格納制御部１４０と、記憶部１５０と、送信制御部１６０とを備えている。
【００２１】
上記のアンテナ１１０は、放送網ＢＣＮの基地局から送信されている地上デジタルテレビジョン放送波を受信する。アンテナ１１０による受信信号ＲＦＳRは、放送信号処理部１２０へ送られる。
【００２２】
上記の放送信号処理部１２０は、アンテナ１１０から送られた受信信号ＲＦＳRを受ける。また、放送信号処理部１２０は、格納制御部１４０から送られた選局指令ＣＳＬRを受ける。そして、放送信号処理部１２０は、選局指令ＣＳＬRによって指定された選局チャンネルの受信信号を処理して、コンテンツデータＢＣＤRを生成する。こうして生成されたコンテンツデータＢＣＤRは、格納制御部１４０へ送られる。
【００２３】
なお、放送信号処理部１２０は、ＲＦ処理ユニット及び再生処理ユニットを備えて構成されている。ここで、ＲＦ処理ユニットは、選局すべき放送局の信号を受信信号ＲＦＳRから抽出する選局処理を行い、所定の中間周波数帯の成分を有する中間周波信号を生成する。また、再生処理ユニットは、ＲＦ処理ユニットから送られる中間周波信号に対して、ＯＦＤＭ復調処理及び復号処理を施して、基地局からの放送時刻情報、音声データ及び映像データを含むコンテンツデータＢＣＤRを生成する。
【００２４】
なお、コンテンツデータＢＣＤRには、放送時刻情報として、放送時刻に対応するタイムスタンプ情報が含まれている。
【００２５】
上記の通信部１３０は、インターネット網ＩＰＮとの間で信号の授受を行う。この通信部１３０を利用することにより、格納制御部１４０及び送信制御部１６０が、車両に配置された出力制御装置２００と通信できるようになっている。
【００２６】
出力制御装置２００との通信により録画制御指令ＳＴＣを受信した場合には、通信部１３０は、当該録画制御指令ＳＴＣを格納制御部１４０へ送る。なお、録画制御指令ＳＴＣには、録画開始指令及び録画停止指令の２種類がある。ここで、録画開始指令には、選局チャンネル指定が含まれるようになっている。
【００２７】
また、出力制御装置２００との通信により送信要求ＴＲＱを受信した場合には、通信部１３０は、当該送信要求ＴＲＱを送信制御部１６０へ送る。なお、送信要求ＴＲＱには、通常送信要求及び追従送信要求の２種類がある。ここで、通常送信要求及び追従送信要求には、再生中断時刻情報が含まれるようになっている。
【００２８】
また、通信部１３０は、送信制御部１６０から送られた通信コンテンツデータＣＣＤを受ける。そして、通信部１３０は、当該通信コンテンツデータＣＣＤを出力制御装置２００へ送信する。
【００２９】
なお、通信部１３０は、出力制御装置２００との通信の可否を監視する。そして、通信部１３０は、監視結果を、通信可否情報として、送信制御部１６０へ送るようになっている。このため、送信制御部１６０は、出力制御装置２００との通信の可否を判定できるようになっている。
【００３０】
上記の格納制御部１４０は、通信部１３０から送られた録画制御指令ＳＴＣを受ける。そして、録画制御指令ＳＴＣが録画開始指令であった場合には、格納制御部１４０は、録画開始指令において指定されている選局チャンネルを選局するための選局指令ＣＳＬRを生成する。こうして生成された選局指令ＣＳＬRは、放送信号処理部１２０へ送られる。この結果、放送信号処理部１２０から、選局指令ＣＳＬRによって指定された選局チャンネルで放送されているコンテンツに対応するコンテンツデータＢＣＤRが、格納制御部１４０へ送られる。
【００３１】
また、格納制御部１４０は、録画開始指令を受けてから、録画停止指令を受けるまでの期間に、放送信号処理部１２０から送られたコンテンツデータＢＣＤRを、格納データＳＴＤとして、記録部１５０及び送信制御部１６０へ送る録画処理を行う。そして、格納制御部１４０は、録画停止指令を受けると、録画処理を停止する。
【００３２】
上述したように、コンテンツデータＢＣＤRにはタイムスタンプ情報が含まれているので、格納データＳＴＤを受けた送信制御部１６０は、最新の格納データＳＴＤに対応するコンテンツデータＢＣＤRの放送時刻を把握することができるようになっている。
【００３３】
なお、格納制御部１４０により実行される格納制御処理については、後述する。
【００３４】
上記の記録部１５０は、不揮発性のランダムアクセス可能な記録媒体を備えて構成されている。こうした不揮発性の記録媒体としては、例えば、不揮発性の記憶素子、ＤＶＤ（Digital Versatile Disk）等が挙げられる。
【００３５】
記録部１５０は、格納制御部１４０から送られた格納データＳＴＤを受ける。そして、記録部１５０は、当該格納データＳＴＤを不揮発性の記録媒体に記録する。
【００３６】
なお、記録部１５０に記録されたデータは、送信制御部１６０により読取可能となっている。
【００３７】
上記の送信制御部１６０は、通信部１３０から送られた送信要求ＴＲＱを受ける。そして、当該送信要求ＴＲＱが通常送信要求であった場合には、送信制御部１６０は、通常送信処理を行う。かかる、通常送信処理の結果は、通信コンテンツデータＣＣＤとして通信部１３０へ送られる。
【００３８】
また、当該送信要求ＴＲＱが追従送信要求であった場合には、送信制御部１６０は、追従送信処理を行う。かかる、追従送信処理の結果は、通信コンテンツデータＣＣＤとして通信部１３０へ送られる。
【００３９】
ところで、送信制御部１６０は、送信バッファを内部に備えており、通常送信処理又は追従送信処理の結果を、通信コンテンツデータＣＣＤとして、送信バッファ内に順次書き込む。そして、送信制御部１６０は、送信バッファ内のデータを順次、通信部１３０へ送る。ここで、送信制御部１６０は、送信バッファ内への書込処理及び通信部１３０への送信処理を、上述した通常送信処理又は追従送信処理と並行して実行するようになっている。
【００４０】
なお、送信制御部１６０が実行する通常送信処理及び追従送信処理については、後述する。
【００４１】
＜出力制御装置２００の位置付け＞
上記の出力制御装置２００は、図３に示されるように、車両に配置された音出力ユニット３１０、表示ユニット３２０、入力ユニット３３０と接続されている。また、出力制御装置２００は、ナビゲーション装置３５０と接続されている。
【００４２】
上記の音出力ユニット３１０は、出力制御装置２００から送られた出力音声データＡＤＴを受ける。そして、音出力ユニット３１０は、出力音声データＡＤＴに基づいて、音声を再生出力する。
【００４３】
上記の表示ユニット３２０は、出力制御装置２００から送られた表示映像データＩＤＴを受ける。そして、表示ユニット３２０は、表示映像データＩＤＴに基づいて、映像を再生表示する。
【００４４】
上記の入力ユニット３３０は、キー部、及び／又は、キー部を備えるリモート入力装置等により構成される。ここで、キー部としては、表示ユニット３２０の表示デバイスに設けられたタッチパネルを用いることができる。また、キー部を有する構成に代えて、又は併用して音声認識技術を利用して音声にて入力する構成を採用することもできる。
【００４５】
この入力ユニット３３０を利用者が操作することにより、出力制御装置２００への動作指令の入力が行われる。例えば、希望放送局を指定した選局指定等の利用者による入力が、入力ユニット３３０を利用して行われる。こうした入力ユニット３３０への入力内容は、入力データＩＰＤとして、出力制御装置２００へ送られる。
【００４６】
上記のナビゲーション装置３５０は、車両の運転を支援するための情報を利用者に提供する。このナビゲーション装置３５０は、現在位置検出機能、車速検出機能、車両の走行方向の検出機能等を有している。また、ナビゲーション装置３５０は、地図情報、車両の予定走行経路等を記憶する記憶部を備えている。当該地図情報には、放送波受信困難領域の情報が含まれている。そして、ナビゲーション装置３５０は、現在位置情報、車両の走行方向情報や予定走行経路情報等からは把握される走行経路情報、及び、現在位置から走行方向側の地図情報を、ナビ情報ＮＶＤとして、逐次、出力制御装置２００へ送る。
【００４７】
なお、ナビゲーション装置３５０から送られるナビ情報ＮＶＤを解析することにより、出力制御装置２００は、車両が放送波受信困難領域に向かって走行しており、かつ、車両が放送波受信困難領域に近付いたか否かの判定を行うことができるようになっている。
【００４８】
＜出力制御装置２００の構成＞
次に、出力制御装置２００の構成について説明する。
【００４９】
出力制御装置２００は、図３に示されるように、アンテナ２１０と、放送信号処理部２２０と、遅延部２２５と、無線通信部２３０とを備えている。また、出力制御装置２００は、取得部２４０と、選択部２５０と、選択制御部２６０とを備えている。
【００５０】
上記のアンテナ２１０は、放送網ＢＣＮの基地局から送信されている地上デジタルテレビジョン放送波を受信する。アンテナ２１０による受信信号ＲＦＳBは、放送信号処理部２２０へ送られる。
【００５１】
上記の放送信号処理部２２０は、アンテナ２１０から送られた受信信号ＲＦＳBを受ける。また、放送信号処理部２２０は、選択制御部２６０から送られた選局指令ＣＳＬBを受ける。そして、放送信号処理部２２０は、選局指令ＣＳＬBによって指定された選局チャンネルの受信信号を処理して、コンテンツデータＢＣＤBを生成する。こうして生成されたコンテンツデータＢＣＤBは、遅延部２２５及び選択制御部２６０へ送られる。
【００５２】
なお、選択制御部２６０は、コンテンツデータＢＣＤBに含まれるタイムスタンプ情報を参照することにより現在時刻を把握することができる。
【００５３】
また、放送信号処理部２２０は、不図示の受信品質検出部を備えている。この受信品質検出部は、選局チャンネルの放送波のＣＮＲ（Carrier to Noise Ratio）を受信品質として検出する。受信品質検出部による検出結果は、受信品質ＲＱＬとして、選択制御部２６０へ送られる。このため、選択制御部２６０は、コンテンツデータＢＣＤBに含まれるタイムスタンプ情報及び受信品質ＲＱＬに基づいて、各放送時刻における受信品質を把握できるようになっている。
【００５４】
なお、放送信号処理部２２０は、選択制御部２６０へ受信品質ＲＱＬを送る受信品質検出部を備えている点を除いて、上述した放送信号処理部１２０と同様に構成されている。
【００５５】
上記の遅延部２２５は、放送信号処理部２２０から送られたコンテンツデータＢＣＤBを受ける。そして、遅延部２２５は、コンテンツデータＢＣＤBを、無線通信部２３０を介して通信コンテンツデータＣＣＤを受信する際に発生する平均的なオーバヘッド時間分だけ遅延させて、遅延コンテンツデータＤＣＤを生成する。こうして生成された遅延コンテンツデータＤＣＤは、選択部２５０へ送られる。
【００５６】
なお、遅延部２２５は、上述したオーバヘッド時間分だけバッファリングする不図示のバッファ記憶部を内部に備えている。そして、遅延部２２５は、コンテンツデータＢＣＤBを受けた後に当該オーバヘッド時間が経過した時点で、コンテンツデータＢＣＤBを、遅延コンテンツデータＤＣＤとして選択部２５０へ送るようになっている。
【００５７】
上記の無線通信部２３０は、インターネット網ＩＰＮとの間で信号の授受を行う。この無線通信部２３０を利用することにより、選択制御部２６０が、上述した記録装置１００と通信できるようになっている。
【００５８】
無線通信部２３０は、選択制御部２６０から送られた録画制御指令ＳＴＣを受けると、当該録画制御指令ＳＴＣを記録装置１００へ送信する。また、無線通信部２３０は、選択制御部２６０から送られた送信要求ＴＲＱを受けると、当該送信要求ＴＲＱを記録装置１００へ送信する。さらに、無線通信部２３０は、記録装置１００から送信された通信コンテンツデータＣＣＤを受信すると、当該通信コンテンツデータＣＣＤを選択部２５０へ送る。
【００５９】
なお、無線通信部２３０は、記録装置１００との通信の可否を監視する。そして、無線通信部２３０は、監視結果を、通信可否情報として、選択制御部２６０へ送るようになっている。このため、選択制御部２６０は、記録装置１００との通信の可否を判定できるようになっている。
【００６０】
上記の取得部２４０は、ナビゲーション装置３５０から送られたナビ情報ＮＶＤを取得する。こうして取得されたナビ情報ＮＶＤは、選択制御部２６０へ送られる。
【００６１】
上記の選択部２５０は、遅延部２２５から送られた遅延コンテンツデータＤＣＤ、及び、無線通信部２３０から送られた通信コンテンツデータＣＣＤを受ける。そして、選択部２５０は、選択制御部２６０から送られた選択指定ＳＬＣに従って、遅延コンテンツデータＤＣＤ及び通信コンテンツデータＣＣＤのいずれかを選択する。
【００６２】
こうして選択されたコンテンツデータに含まれる音声データが、出力音声データＡＤＴとして、音出力ユニット３１０へ送られる。また、選択されたコンテンツデータに含まれる映像データが、表示映像データＩＤＴとして、表示ユニット３２０へ送られる。
【００６３】
なお、選択部２５０は、選択指定ＳＬＣが「０」の場合に遅延コンテンツデータＤＣＤを選択し、選択指定ＳＬＣが「１」の場合に通信コンテンツデータＣＣＤを選択するようになっている。
【００６４】
上記の選択制御部２６０は、選局チャンネルを指定した選局指定を入力データＩＰＤとして入力ユニット３３０から受けると、当該選局チャンネルを選択するための選局指令ＣＳＬBを生成する。こうして生成された選局指令ＣＳＬBは、放送信号処理部２２０へ送られる。
【００６５】
また、選択制御部２６０は、放送信号処理部２２０から送られた受信品質ＲＱＬ及びコンテンツデータＢＣＤB、無線通信部２３０から送られた通信可否情報、並びに、取得部２４０から送られたナビ情報ＮＶＤを受ける。そして、選択制御部２６０は、これらの情報に基づいて、選択指定ＳＬＣ、録画制御指令ＳＴＣ及び送信要求ＴＲＱを生成する。こうして生成された選択指定ＳＬＣは、選択部２５０へ送られる。また、生成された録画制御指令ＳＴＣ及び送信要求ＴＲＱは、無線通信部２３０へ送られる。
【００６６】
なお、選択制御部２６０が実行する選択制御処理については、後述する。
【００６７】
［動作］
次に、上記のように構成されたコンテンツ出力システム３００の動作について、格納制御部１４０により実行される格納制御処理、送信制御部１６０により実行される送信制御処理、及び、選択制御部２６０により実行される選択制御処理に主に着目して説明する。
【００６８】
＜格納制御部１４０により実行される格納制御処理＞
まず、格納制御部１４０により実行される格納制御処理について説明する。
【００６９】
なお、当初においては、格納制御部１４０は、記憶部１５０にコンテンツデータＢＣＤRを格納する録画処理を行っていないものとする。
【００７０】
格納制御処理に際しては、図４に示されるように、まず、ステップＳ１１において、格納制御部１４０が、録画制御指令ＳＴＣとして録画開始指令を通信部１３０から受けたか否かを判定する。ステップＳ１１における判定の結果が否定的であった場合（ステップＳ１１：Ｎ）には、ステップＳ１１の処理が繰り返される。
【００７１】
録画開始指令を受け、ステップＳ１１における判定の結果が肯定的となると（ステップＳ１１：Ｙ）、処理はステップＳ１２へ進む。このステップＳ１２では、格納制御部１４０が、録画処理を開始する。
【００７２】
かかる録画処理の開始に際して、格納制御部１４０は、まず、録画開始指令において指定された選局チャンネルを選局するための選局指令ＣＳＬRを生成する。そして、格納制御部１４０は、生成された選局指令ＣＳＬRを放送信号処理部１２０へ送る。この結果、放送信号処理部１２０から、選局指令ＣＳＬRによって指定された選局チャンネルで放送されているコンテンツに対応するコンテンツデータＢＣＤRが格納制御部１４０へ送られるようになる（図２参照）。
【００７３】
引き続き、格納制御部１４０は、放送信号処理部１２０から送られるコンテンツデータＢＣＤRを記録部１５０内に順次格納する録画処理を開始する。こうして開始された録画処理は、後述するステップＳ１４において録画処理が停止されるまで続行する。
【００７４】
次に、ステップＳ１３において、上述したステップＳ１２において開始された録画処理と並行して、格納制御部１４０が、録画制御指令ＳＴＣとして録画停止指令を通信部１３０から受けたか否かを判定する。ステップＳ１３における判定の結果が否定的であった場合（ステップＳ１３：Ｎ）には、ステップＳ１３の処理が繰り返される。
【００７５】
録画停止指令を受け、ステップＳ１３における判定の結果が肯定的となると（ステップＳ１３：Ｙ）、処理はステップＳ１４へ進む。このステップＳ１４では、格納制御部１４０が、録画処理を停止する。
【００７６】
こうしてステップＳ１４の処理が終了すると、処理はステップＳ１１へ戻る。以後、格納制御部１４０は、上述したステップＳ１１〜Ｓ１４の処理を繰り返す。
【００７７】
＜送信制御部１６０により実行される送信制御処理＞
次に、送信制御部１６０により実行される送信制御処理について説明する。
【００７８】
なお、当初においては、送信制御部１６０は、記憶部１５０からのデータの読み取り、及び、通信部１３０を介した出力制御装置２００への通信コンテンツデータＣＣＤの送信を行っていないものとする。
【００７９】
送信制御処理に際しては、図５に示されるように、まず、ステップＳ２１において、送信制御部１６０が、出力制御装置２００との間で通信可能か否かを判定する。ステップＳ２１における判定の結果が否定的であった場合（ステップＳ２１：Ｎ）には、ステップＳ２１の処理が繰り返される。
【００８０】
ステップＳ２１における判定の結果が肯定的であった場合（ステップＳ２１：Ｙ）には、処理はステップＳ２２へ進む。このステップＳ２２では、送信制御部１６０が、送信要求ＴＲＱとして通常送信要求を通信部１３０から受けたか否かを判定する。ステップＳ２２における判定の結果が肯定的であった場合（ステップＳ２２：Ｙ）には、送信制御部１６０が、通常送信要求において指定された再生中断時刻に対応する記録部１５０内のデータ位置を読取ポインタとして特定する。そして、処理は、後述するステップＳ２６へ進む。
【００８１】
ステップＳ２２における判定の結果が否定的であった場合（ステップＳ２２：Ｎ）には、処理はステップＳ２３へ進む。このステップＳ２３では、送信制御部１６０が、送信要求ＴＲＱとして追従送信要求を通信部１３０から受けたか否かを判定する。ステップＳ２３における判定の結果が否定的であった場合（ステップＳ２３：Ｎ）には、処理はステップＳ２１へ戻る。そして、ステップＳ２２又はステップＳ２３における判定の結果が肯定的となるまで、ステップＳ２１〜Ｓ２３の処理が繰り返される。
【００８２】
ステップＳ２３における判定の結果が肯定的となると（ステップＳ２３：Ｙ）、送信制御部１６０が、追従送信要求において指定された再生中断時刻に対応する記録部１５０内のデータの読み取りに際しての読取ポインタを特定する。そして、処理は、ステップＳ２４へ進む。
【００８３】
ステップＳ２４では、送信制御部１６０が、追従送信処理を開始する。かかる追従送信処理については、後述する。
【００８４】
次に、ステップＳ２５において、上述したステップＳ２４の実行により開始された追従送信処理と並行して、送信制御部１６０が、追従送信処理が完了したか否かを判定する。ステップＳ２５における判定の結果が否定的であった場合（ステップＳ２５：Ｎ）には、処理は、後述するステップＳ２７へ進む。
【００８５】
ステップＳ２５における判定の結果が肯定的であった場合（ステップＳ２５：Ｙ）には、処理はステップＳ２６へ進む。このステップＳ２６では、送信制御部１６０が、通常送信処理を開始する。そして、処理はステップＳ２７へ進む。
【００８６】
なお、通常送信処理では、送信制御部１６０が、その時点における読取ポインタ位置から、記録部１５０内に格納されているデータを順次、読取データＲＤＤとして読み取る。そして、送信制御部１６０は、読み取られた読取データＲＤＤを、そのまま、かつ、遅滞なく、通信コンテンツデータＣＣＤとして、通信部１３０へ送る（図２参照）。
【００８７】
この結果、通常送信処理を開始した時点における読取ポインタ位置から、記録部１５０内に格納されているデータが、順次、かつ、遅滞なく、通信コンテンツデータＣＣＤとして、通信部１３０へ送られる。なお、ステップＳ２２における判定の結果が肯定的であったことに起因して通常送信処理を開始した場合には、通常送信要求で指定された再生中断時刻に対応する記録部１５０内のデータが、順次、かつ、遅滞なく、通信コンテンツデータＣＣＤとして、通信部１３０へ送られる。また、ステップＳ２５における判定の結果が肯定的であったことに起因して通常送信処理を開始した場合には、追従送信処理の終了に際して設定された読取ポインタ位置から、記録部１５０内に格納されているデータが、順次、かつ、遅滞なく、通信コンテンツデータＣＣＤとして、通信部１３０へ送られる。
【００８８】
さて、ステップＳ２７では、送信制御部１６０が、送信要求ＴＲＱとして送信停止要求を通信部１３０から受けたか否かを判定する。ステップＳ２７における判定の結果が否定的であった場合（ステップＳ２７：Ｎ）には、処理はステップＳ２８へ進む。
【００８９】
ステップＳ２８では、送信制御部１６０が、出力制御装置２００との間で通信可能か否かを判定する。ステップＳ２８における判定の結果が肯定的であった場合（ステップＳ２８：Ｙ）には、処理はステップＳ２９へ進む。
【００９０】
ステップＳ２９では、送信制御部１６０が、追従送信処理中か否かを判定する。ステップＳ２９における判定の結果が肯定的であった場合（ステップＳ２９：Ｙ）には、処理はステップＳ２５へ戻る。一方、ステップＳ２９における判定の結果が否定的であった場合（ステップＳ２９：Ｎ）には、処理はステップＳ２７へ戻る。
【００９１】
以後、ステップＳ２５若しくはステップＳ２７における判定の結果が肯定的となるか、又は、ステップＳ２８における判定が否定的となるまで、ステップＳ２５〜Ｓ２９の処理が繰り返される。そして、ステップＳ２７における判定の結果が肯定的となる（ステップＳ２７：Ｙ）、又は、ステップＳ２８における判定の結果が否定的となる（ステップＳ２８：Ｎ）と、処理はステップＳ３０へ進む。
【００９２】
ステップＳ３０では、送信制御部１６０が、送信処理を停止する。こうしてステップＳ３０の処理が終了すると、処理はステップＳ２１へ戻る。以後、ステップＳ２１〜Ｓ３０の処理が繰り返される。
【００９３】
＜送信制御部１６０により実行される追従送信処理＞
次いで、上述した送信制御処理と並行して送信制御部１６０により実行される、本実施形態における追従送信処理について説明する。
【００９４】
かかる追従送信処理に際しては、図６に示されるように、ステップＳ３１において、送信制御部１６０が、遅延時間ＴDの初期値を算出する。かかる遅延時間ＴDの初期値を算出に際して、送信制御部１６０は、追従送信要求において指定された再生中断時刻から、最新の格納データＳＴＤ（すなわち、最新のコンテツデータＢＣＤR）のタイムスタンプ情報を参照して把握される現在時刻までの時間を遅延時間ＴDの初期値として算出する。
【００９５】
次に、ステップＳ３２において、送信制御部１６０が、現在時刻から遅延時間ＴD前に放送されたコンテンツデータを記憶部１５０から、読取データＲＤＤとして読み取る。引き続き、ステップＳ３３において、送信制御部１６０が、読取データＲＤＤを解析して、当該読取データＲＤＤがコマーシャル（ＣＭ）期間のデータであるか否かを判定する。
【００９６】
ステップＳ３３における判定の結果が否定的であった場合（ステップＳ３３：Ｎ）には、処理はステップＳ３４へ進む。このステップＳ３４では、送信制御部１６０が、読取データＲＤＤを送信バッファへ格納する。
【００９７】
なお、上述したように、送信制御部１６０は、送信バッファに格納されたデータを、順次、通信コンテンツデータＣＣＤとして通信部１３０へ送るようになっている（図２参照）。
【００９８】
ステップＳ３４の処理が終了すると、処理はステップＳ３２へ戻る。そして、ステップＳ３３における判定の結果が肯定的となるまで、ステップＳ３２〜Ｓ３４の処理を繰り返す。
【００９９】
ステップＳ３３における判定の結果が肯定的となると（ステップＳ３３：Ｙ）、読取データＲＤＤのタイムスタンプ情報から把握されるＣＭ期間の開始の放送時刻を内部に保持する。そして、処理はステップＳ３５へ進む。このステップＳ３５では、送信制御部１６０が、次のコンテンツデータを記憶部１５０から、読取データＲＤＤとして読み取る。
【０１００】
次いで、ステップＳ３６において、送信制御部１６０が、当該読取データＲＤＤを解析して、ＣＭ期間が終了したか否かを判定する。ステップＳ３６における判定の結果が否定的であった場合（ステップＳ３６：Ｎ）には、処理はステップＳ３５へ戻る。そして、ステップＳ３６における判定の結果が肯定的となるまで、ステップＳ３５及びステップＳ３６の処理が繰り返される。
【０１０１】
ステップＳ３６における判定の結果が肯定的となると（ステップＳ３６：Ｙ）、送信制御部１６０は、ＣＭ期間終了後の読取データＲＤＤを送信バッファに格納する。また、送信制御部１６０は、読取データＲＤＤから把握されるＣＭ期間の終了の放送時刻を内部に保持する。そして、処理はステップＳ３７へ進む。
【０１０２】
ステップＳ３７では、送信制御部１６０が、直前のＣＭ期間の長さ（ＣＭ期間長）ＴCMを導出する。ここで、送信制御部１６０は、直前のＣＭ期間の開始時刻から終了時刻までの時間を算出することにより、ＣＭ期間長ＴCMを導出する。
【０１０３】
次に、ステップＳ３８において、送信制御部１６０が、遅延時間ＴDがＣＭ期間長ＴCM以下か否かを判定する。ステップＳ３８における判定の結果が否定的であった場合（ステップＳ３８：Ｎ）には、処理はステップＳ３９へ進む。
【０１０４】
ステップＳ３９では、送信制御部１６０が、（ＴD−ＴCM）を算出する。そして、送信制御部１６０は、算出された（ＴD−ＴCM）を新たな遅延時間ＴDとすることにより、遅延時間ＴDを更新する。そして、処理はステップＳ３２へ戻る。以後、ステップＳ３８における判定の結果が肯定的となるまで、ステップＳ３２〜Ｓ３９の処理が繰り返される。
【０１０５】
ステップＳ３８における判定の結果が肯定的となると（ステップＳ３８：Ｙ）、処理はステップＳ４０へ進む。このステップＳ４０では、送信制御部１６０が、遅延時間ＴDが「０」となる放送時刻、すなわち、現在時刻に対応するコンテンツデータの記憶部１５０内の位置に読取ポインタを設定する。そして、送信制御部１６０は、追従送信の完了報告を、通信部１３０を介して出力制御装置２００へ送る。こうして、ステップＳ４０の処理が終了すると、追従送信処理が終了する。
【０１０６】
＜選択制御部２６０により実行される選択制御処理＞
次に、選択制御部２６０により実行される選択制御処理について説明する。
【０１０７】
なお、入力ユニット３３０には既に利用者により選局指令が入力されており、指定された選局チャンネルに対応する選局指令ＣＳＬBが、選択制御部２６０から放送信号処理部２２０へ送られているものとする。そして、放送信号処理部２２０からは、コンテンツデータＢＣＤBが遅延部２２５及び選択制御部２６０へ送られ、また、遅延部２２５からは、遅延コンテンツデータＤＣＤが選択部２５０へ送られているものとする（図３参照）。
【０１０８】
また、当初においては、受信品質ＲＱＬが閾値ＱＬTHよりも高く、遅延コンテンツデータＤＣＤにより高品位のコンテンツ再生が可能となっているものとする。そして、当初においては、選択制御部２６０は、選択指定ＳＬＣを「０」としているものとする。
【０１０９】
なお、閾値ＱＬTHは、高品位のコンテンツ再生が安定して可能であるか否かの判定を合理的に行うための基準を設定するとの観点から、実験、シミュレーション、経験等に基づいて、予め定められる。
【０１１０】
選択制御処理に際しては、図７に示されるように、まず、ステップＳ４１において、選択制御部２６０は、取得部２４０が取得したナビ情報ＮＶＤに基づいて、車両が放送受信波困難領域に近付いたか否かを判定する。ステップＳ４１における判定の結果が否定的であった場合（ステップＳ４１：Ｎ）には、ステップＳ４１の処理が繰り返される。
【０１１１】
車両が放送受信波困難領域に近付き、ステップＳ４１における判定の結果が肯定的となると（ステップＳ４１：Ｙ）、処理はステップＳ４２へ進む。このステップＳ４２では、選択制御部２６０が、録画制御指令ＳＴＣとして、録画開始指令を、無線通信部２３０を介して、記録装置１００へ送る。この結果、記録装置１００における格納制御部１４０による録画処理が開始される。
【０１１２】
次に、ステップＳ４３において、選択制御部２６０が、受信品質ＲＱＬが閾値ＱＬTH未満か否かを判定する。ステップＳ４３における判定の結果が否定的であった場合（ステップＳ４３：Ｎ）には、ステップＳ４３の処理が繰り返される。
【０１１３】
受信品質ＲＱＬが閾値ＱＬTH未満となり、ステップＳ４３における判定の結果が肯定的となると（ステップＳ４３：Ｙ）、選択制御部２６０は、受信品質ＲＱＬが閾値ＱＬTH未満となった放送時刻を、再生中断時刻として内部に保持する。そして、処理はステップＳ４４へ進む。
【０１１４】
ステップＳ４４では、選択制御部２６０が、通信コンテンツデータＣＣＤに基づくコンテンツを再生するためのリモート再生制御処理を実行する。なお、ステップＳ４４において実行されるリモート再生制御処理の詳細については、後述する。
【０１１５】
ステップＳ４４の処理が終了すると、処理はステップＳ４５へ進む。このステップＳ４５では、選択制御部２６０が、選択指定ＳＬＣを「０」にして、選択部２５０へ送る。この結果、選択部２５０は、遅延コンテンツデータＤＣＤを選択する。
【０１１６】
次に、ステップＳ４６において、選択制御部２６０が、送信要求ＴＲＱとして送信停止要求を、無線通信部２３０を介して、記録装置１００へ送る。引き続き、選択制御部２６０が、録画制御指令ＳＴＣとして録画停止指令を、無線通信部２３０を介して、記録装置１００へ送る。この結果、記録装置１００における送信制御部１６０による送信動作が停止するとともに、格納制御部１４０による録画動作が停止する。
【０１１７】
こうしてステップＳ４６の処理が終了すると、処理はステップＳ４１へ戻る。以後、ステップＳ４１〜Ｓ４６の処理が繰り返される。
【０１１８】
＜ステップＳ４４におけるリモート再生制御処理＞
次いで、ステップＳ４４におけるリモート再生制御処理について説明する。
【０１１９】
リモート再生制御処理に際しては、図８に示されるように、まず、ステップＳ５１において、選択制御部２６０が、記録装置１００との間で通信可能か否かを判定する。ステップＳ５１における判定の結果が肯定的であった場合（ステップＳ５１：Ｙ）には、処理はステップＳ５２へ進む。
【０１２０】
ステップＳ５２では、上述したステップＳ４３で保持した再生中断時刻を指定した通常送信要求を、送信要求ＴＲＱとして、無線通信部２３０を介して、記録装置１００へ送る（図３参照）。この結果、上述した通常送信処理により生成された通信コンテンツデータＣＣＤが、記録装置１００から出力制御装置２００へ送られる。
【０１２１】
次に、ステップＳ５３において、選択制御部２６０が、送信要求ＴＲＱの送信後に上述したオーバヘッド時間が経過した時点で、「１」に設定した選択指定ＳＬＣを選択部２５０へ送る（図３参照）。こうしてステップＳ５３の処理が終了すると、処理は、後述するステップＳ６０へ進む。
【０１２２】
なお、「１」に設定した選択指定ＳＬＣを受けると、上述したように、選択部２５０は、通信コンテンツデータＣＣＤを選択する。この結果、選択部２５０からは、通信コンテンツデータＣＣＤに含まれる音声データが、出力音声データＡＤＴとして、音出力ユニット３１０へ送られるとともに、通信コンテンツデータＣＣＤに含まれる映像データが、表示映像データＩＤＴとして、表示ユニット３２０へ送られる（図３参照）。
【０１２３】
上述したステップＳ５１における判定の結果が否定的であった場合（ステップＳ５１：Ｎ）には、処理はステップＳ５４へ進む。このステップＳ５４では、通信不能となる直前におけるコンテンツデータに対応する放送時刻を、再生中断時刻として内部に保持する。
【０１２４】
なお、ステップＳ５１における判定の結果が否定的であったことに起因してステップＳ５４の処理が実行された場合には、選択制御部２６０は、上述したステップＳ４３において保持された再生中断時刻をそのまま採用する。一方、後述するステップＳ５９又はステップＳ６１における判定の結果が否定的であったことに起因してステップＳ５４の処理が実行された場合には、選択制御部２６０は、通信不能となる直前の通信コンテンツデータＣＣＤ対応する放送時刻を、再生中断時刻として内部に保持する。
【０１２５】
次いで、ステップＳ５５において、選択制御部２６０が、記録装置１００との間で通信可能か否かを判定する。ステップＳ５５における判定の結果が否定的であった場合（ステップＳ５５：Ｎ）には、ステップＳ５５の処理が繰り返される。
【０１２６】
記録装置１００との間での通信が可能となり、ステップＳ５５における判定の結果が肯定的となると（ステップＳ５５：Ｙ）、処理はステップＳ５６へ進む。このステップＳ５６では、その時点で内部に保持している再生中断時刻を指定した追従送信要求を、送信要求ＴＲＱとして、無線通信部２３０を介して、記録装置１００へ送る（図３参照）。この結果、上述した追従送信処理により生成された通信コンテンツデータＣＣＤが、記録装置１００から出力制御装置２００へ送られる。
【０１２７】
次に、ステップＳ５７において、上述したステップＳ５２の場合と同様に、選択制御部２６０が、送信要求ＴＲＱの送信後に上述したオーバヘッド時間が経過した時点で、「１」に設定した選択指定ＳＬＣを選択部２５０へ送る（図３参照）。
【０１２８】
次いで、ステップＳ５８において、選択制御部２６０が、記録装置１００から送られた追従送信の完了報告を受けたか否かを判定することにより、追従送信が完了したか否かを判定する。ステップＳ５８における判定の結果が否定的であった場合（ステップＳ５８：Ｎ）には、処理はステップＳ５９へ進む。
【０１２９】
ステップＳ５９では、選択制御部２６０が、記録装置１００との間で通信可能か否かを判定する。ステップＳ５９における判定の結果が肯定的であった場合（ステップＳ５９：Ｙ）には、処理はステップＳ５８へ戻る。以後、ステップＳ５８における判定の結果が肯定的となる、又は、ステップＳ５９における判定の結果が否定的となるまで、ステップＳ５８及びステップＳ５９の処理が繰り返される。
【０１３０】
ステップＳ５９における判定の結果が否定的となると（ステップＳ５９：Ｎ）、処理はステップＳ５４へ戻る。以後、ステップＳ５８における判定の結果が肯定的となるまで、ステップＳ５４〜Ｓ５９の処理が繰り返される。
【０１３１】
ステップＳ５８における判定の結果が肯定的となると（ステップＳ５８：Ｙ）、処理はステップＳ６０へ進む。このステップＳ６０では、選択制御部２６０が、受信品質ＲＱＬが閾値ＱＬTH以上か否かを判定する。ステップＳ６０における判定の結果が否定的であった場合（ステップＳ６０：Ｎ）には、処理はステップＳ６１へ進む。
【０１３２】
ステップＳ６１では、選択制御部２６０が、記録装置１００との間で通信可能か否かを判定する。ステップＳ６１における判定の結果が肯定的であった場合（ステップＳ６１：Ｙ）には、処理はステップＳ６０へ戻る。以後、ステップＳ６０における判定の結果が肯定的となる、又は、ステップＳ６１における判定の結果が否定的となるまで、ステップＳ６０及びステップＳ６１の処理が繰り返される。
【０１３３】
ステップＳ６１における判定の結果が否定的となると（ステップＳ６１：Ｎ）、処理はステップＳ５４へ戻る。以後、ステップＳ６０における判定の結果が肯定的となるまで、ステップＳ５４〜Ｓ６１の処理が繰り返される。
【０１３４】
ステップＳ６０における判定の結果が肯定的となると（ステップＳ６０：Ｙ）、ステップＳ４４の処理が終了する。そして、処理は、上述した図７におけるステップＳ４５へ進む。
【０１３５】
上記のようにして行われる選択制御部２６０による選択制御処理に従って選択部２５０によって選択されたコンテンツデータに含まれる音声データが、出力音声データＡＤＴとして音出力ユニット３１０へ送られる。この結果、音出力ユニット３１０からは、出力音声データＡＤＴに対応する音声が出力される。
【０１３６】
また、選択制御部２６０による選択制御処理に従って選択部２５０によって選択されたコンテンツデータに含まれる映像データが、表示映像データＩＤＴとして表示ユニット３２０へ送られる。この結果、表示ユニット３２０には、表示映像データＩＤＴに対応する映像が出力される。
【０１３７】
なお、図９には、出力制御装置２００が配置された車両の走行による放送波受信環境及び通信環境変化に伴って、記録装置１００と出力制御装置２００との間で授受される情報のシーケンス例が示されている。この図９には、当初には良好な放送波受信環境であったが、放送波受信困難領域に近付いた後、劣悪な放送波受信環境ではあるが通信可能である状態を経由して、劣悪な放送波受信環境であり、かつ、通信不可能となった例が示されている。そして、その後に通信可能となり、さらに、良好な放送波受信環境に変化した場合の例が示されている。
【０１３８】
かかる図９に示される環境変化のもとで、コンテンツ出力システム３００が上述した動作を行うと、車両が放送波受信困難領域に近付いた時点で、録画開始指令が、録画制御指令ＳＴＣとして、出力制御装置２００から記録装置１００へ送信される。この結果、記録装置１００において録画処理が行われる。
【０１３９】
引き続き、劣悪な放送波受信環境ではあるが通信可能である状態となると、通常送信要求が、送信要求ＴＲＱとして、出力制御装置２００から記録装置１００へ送信される。この結果、上述した通常送信処理により生成された通信コンテンツデータＣＣＤが、記録装置１００から出力制御装置２００へ送信される。
【０１４０】
次に、劣悪な放送波受信環境であり、かつ、通信不可能となると、通信コンテンツデータＣＣＤが途絶える。この後、通信可能となると、追従送信要求が、送信要求ＴＲＱとして、出力制御装置２００から記録装置１００へ送信される。この結果、上述した追従送信処理により生成された通信コンテンツデータＣＣＤが、記録装置１００から出力制御装置２００へ送信される。そして、記録装置１００における追従送信処理が終了すると、引き続いて、通常送信処理により生成された通信コンテンツデータＣＣＤが、記録装置１００から出力制御装置２００へ送信される。
【０１４１】
そして、良好な放送波受信環境となると、送信停止要求が、送信要求ＴＲＱとして、出力制御装置２００から記録装置１００へ送信されるとともに、録画停止指令が、録画制御指令ＳＴＣとして、出力制御装置２００から記録装置１００へ送信される。この結果、記録装置１００では、通信コンテンツデータＣＣＤの送信処理が終了するとともに、録画処理が停止する。
【０１４２】
以上説明したように、本実施形態では、出力制御装置２００における取得部２４０が、車両の現在位置の情報と、走行経路の情報と、放送波受信困難領域の情報を含む地図情報とを、ナビ情報ＮＶＤとして取得する。こうして取得されたナビ情報ＮＶＤに基づいて、移動経路における放送波受信困難領域に近付いたと判断した場合、出力制御装置２００における選択制御部２６０が、記録開始指令を記録装置１００へ送信する。この結果、記録装置１００における格納制御部１４０が、録画処理を行う。
【０１４３】
この後、出力制御装置２００において放送波に基づくコンテンツデータＢＣＤBを生成できなくなり、出力コンテンツ情報の連続性に記録装置１００における録画データが必要となると、選択制御部２６０が、録画データを送信すべき旨の送信要求ＴＲＱを記録装置１００へ送信する。この送信要求ＴＲＱに応答して、記録装置１００における送信制御部１６０が、出力コンテンツ情報の連続性に必要な録画データを、通信コンテンツデータＣＣＤとして、出力制御装置２００へ送信する。
【０１４４】
そして、出力制御装置２００においてコンテンツデータＢＣＤBを生成できるようになり、かつ、通信コンテンツデータＣＣＤが、コンテンツデータＢＣＤBに所定の遅延処理が施されて生成された遅延コンテツデータＤＣＤに対する時間遅延していないことが確認されると、選択制御部２６０が、送信停止要求を、送信要求ＴＲＱとして、記録装置１００へ送信する。また、選択制御部２６０が、録画終了指令を、録画制御指令ＳＴＣとして、記録装置１００へ送信する。
【０１４５】
したがって、本実施形態によれば、走行中の車両における放送コンテンツの再生に際して、通信費の増加を抑制しつつ、再生されるコンテンツ情報の連続性を確保することができる。
【０１４６】
また、本実施形態では、コンテンツデータＢＣＤBを生成できなくなり、かつ、記録装置１００と出力制御装置２００との通信が不可能となった後、記録装置１００と出力制御装置２００との通信が可能となった場合に、選択制御部２６０は、追従送信要求を、送信要求ＴＲＱとして、記録装置１００へ送信する。この追従送信要求を受けると、送信制御部１６０は、記録部１５０に格納されている録画データが放送された時刻から、当該録画データを出力制御装置２００へ送信する時刻までの遅延時間を減少させていく送信情報量削減処理である追従送信処理を実行し、追従送信処理の結果を、通信コンテンツデータＣＣＤとして、出力制御装置２００へ送信する。
【０１４７】
そして、選択制御部２６０は、追従送信処理の結果を受信している期間には、通信コンテンツデータＣＣＤを出力コンテンツ情報として選択する制御を行う。このため、コンテンツデータＢＣＤBを生成できず、かつ、記録装置１００と出力制御装置２００との通信が不可能である期間があったとしても、出力コンテンツ情報の内容の連続性を確保することができる。
【０１４８】
また、本実施形態では、追従送信処理において、ＣＭ期間のコンテンツ情報を削減して通信コンテンツデータＣＣＤを生成する。このため、出力コンテンツ情報の内容の連続性を合理的に確保することができる。
【０１４９】
また、本実施形態では、コンテンツデータＢＣＤBを生成できなったが、記録装置１００と出力制御装置２００との通信が可能である場合に、選択制御部２６０は、通常送信要求を、送信要求ＴＲＱとして、記録装置１００へ送信する。この通常送信要求を受けると、送信制御部１６０は、コンテンツデータＢＣＤRを遅滞なく、通信コンテンツデータＣＣＤとして送信する。このため、コンテンツデータＢＣＤBを生成できなっても、記録装置１００と出力制御装置２００との通信が可能であれば、出力コンテンツ情報の連続性を確保することができる。
【０１５０】
［実施形態の変形］
本発明は、上記の実施形態に限定されるものではなく、様々な変形が可能である。
【０１５１】
例えば、上記の実施形態では、追従送信処理において、ＣＭ期間のコンテンツ情報を削除して通信コンテンツデータを生成するようにした。これに対し、追従送信処理において、ＣＭ期間のコンテンツ情報の削除に加えて、又は、ＣＭ期間のコンテンツ情報の削除に代えて、放送番組のエンドロールのコンテンツ情報を削除するようにしてもよい。
【０１５２】
また、追従送信処理において、追従送信処理の対象となるコンテンツ情報にシーンチェンジが含まれている場合に、最新シーンへの移行を行うことにより、１以上のシーンのコンテンツ情報を削除して通信コンテンツを生成するようにしてもよい。
【０１５３】
さらに、追従送信処理において、追従送信処理の対象となるコンテンツ情報のサムネールを作成して、作成されたサムネールデータを通信コンテンツデータとしてもよい。こうしたサムネールの作成に際しては、例えば、追従送信処理の対象となるコンテンツ情報の期間を一定時間ごとに分割し、分割位置の近辺のＩピクチャ情報を利用して、サムネールを作成するようにすることができる。なお、追従送信処理において、通信コンテンツデータにおける映像データをサムネールデータとする場合には、通信コンテンツデータにおける音声データを無音データとする。
【０１５４】
また、追従送信処理において、追従送信処理の対象となるコンテンツ情報に対して早送り処理を施して、通信コンテンツを生成するようにしてもよい。この場合には、追従送信処理の開始時及び終了時には通常再生の場合と同様の再生速度とし、追従送信処理の対象となるコンテンツ情報の期間の中間位置までは早送り速度を上げていき、中間位置からは早送り速度を下げていくことが、再生されるコンテンツの視聴に際しての違和感を抑制する観点から好ましい。なお、早送り処理を施して通信コンテンツを生成する場合には、早送り速度の変化の立案を、追従送信処理の初期処理として行うことができる。
【０１５５】
また、追従送信処理において、追従送信処理の対象となるコンテンツ情報に対して倍速（例えば、１．５倍速）再生処理を施して、通信コンテンツを生成するようにしてもよい。この場合には、倍速再生によるコンテンツの再生の可否を、視聴者に確認するようにしてもよい。
【０１５６】
また、上記の実施形態では、ナビゲーション装置から、放送波受信困難領域に近付いたか否かの判定をするためのナビ情報の供給を受けるようにした。これに対し、当該ナビゲーションを利用できない場合には、出力制御装置が、当該ナビ情報と同等な情報を得るための資源を備えるようにしてもよい。
【０１５７】
また、上記の実施形態では、出力制御装置が車両に配置されている場合に、本発明を適用した。これに対し、車両以外の移動体に出力制御装置が配置されている場合にも本発明を適用することができる。
【０１５８】
なお、上記の記録装置における格納制御部及び送信制御部、及び／又は、出力制御装置における選択制御部の一部又は全部を中央処理装置（ＣＰＵ：Central Processing Unit）等を備えた演算手段としてのコンピュータとして構成し、予め用意されたプログラムを当該コンピュータで実行することにより、上記の実施形態における機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１５９】
１００  …  記録装置
１４０  …  格納制御部
１５０  …  記録部
１６０  …  送信制御部
２００  …  出力制御装置
２２０  …  放送信号処理部（生成部の一部）
２２５  …  遅延部（生成部の一部）
２４０  …  取得部
２６０  …  選択制御部
３００  …  コンテンツ出力システム
【図１】
2016195311.tif 000003
【図２】
2016195311.tif 000004
【図３】
2016195311.tif 000005
【図４】
2016195311.tif 000006
【図５】
2016195311.tif 000007
【図６】
2016195311.tif 000008
【図７】
2016195311.tif 000009
【図８】
2016195311.tif 000010
【図９】
2016195311.tif 000011